(57)【要約】【課題】複数の組電池を組み立てる際に、基板などの破損を防ぐことのできる組電池を提供することである。【解決手段】二次電池と、二次電池の充放電電流を取り出すための主回路端子と、他の組電池と通信線を介して通信を行うための通信コネクタと、を有し、主回路端子が主回路線を介して他の組電池と接続されない状態では、通信コネクタと通信線と接続不可能であり、  主回路端子が主回路線を介して他の組電池と接続された状態で、通信コネクタと通信線と接続可能となる、組電池。【選択図】図１
2019164885.tif 000002
【特許請求の範囲】
【請求項１】
二次電池と、
前記二次電池の充放電電流を取り出すための主回路端子と、
他の組電池と通信線を介して通信を行うための通信コネクタと、
を有し、
前記主回路端子が主回路線を介して前記他の組電池と接続されない状態では、前記通信
コネクタと前記通信線と接続不可能であり、
前記主回路端子が前記主回路線を介して前記他の組電池と接続された状態で、前記通信
コネクタと前記通信線と接続可能となる、
組電池。
【請求項２】
前記通信線を接続するための通信接続面を覆うことのできるカバーをさらに備え、
前記主回路端子が主回路線を介して前記他の組電池と接続されない状態では、前記通信
接続面を前記カバーが覆い、
前記主回路端子が前記主回路線を介して前記他の組電池と接続された状態で、前記カバ
ーから前記通信接続面が露出可能となる、
請求項１に記載の組電池。
【請求項３】
前記主回路線はねじによって前記主回路端子に接続され、
前記ねじを前記主回路端子に締結することで、前記ねじが前記主回路端子を押し下げられ
て前記カバーが移動可能となり、移動することで前記通信接続面が露出する、
請求項１又は請求項２に記載の組電池。
【請求項４】
前記主回路線はねじによって前記主回路端子に接続され、
前記ねじを前記主回路端子に締結することで、前記ねじが前記主回路端子を押し下げられ
て前記カバーが移動し前記通信接続面が露出する、
請求項１又は請求項２に記載の組電池。
【請求項５】
前記主回路線はねじによって前記主回路端子に接続され、
前記ねじを前記主回路端子に締結することで、前記ねじが前記カバーに接触することで前
記カバーが移動し、前記通信接続面が露出する、
請求項１又は請求項２に記載の組電池。
【請求項６】
前記主回路端子を前記主回路線と接続する主回路接続面と、前記通信コネクタは前記通
信線を接続するための通信接続面は同一の方向に備えられている、請求項１乃至請求項３
のいずれか一項に記載の組電池。
【請求項７】
前記主回路端子を前記主回路線と接続する主回路接続面と、前記通信コネクタは前記通
信線を接続するための通信接続面は垂直に交わるように備えられている、請求項１、請求
項２、請求項４又は請求項５のいずれか一項に記載の組電池。
【発明の詳細な説明】
【技術分野】
【０００１】
本発明の実施形態は、組電池に関する。
【背景技術】
【０００２】
大きな電圧、電流を得るために複数の組電池を接続することがある。
【先行技術文献】
【特許文献】
【０００３】
【特許文献１】特開２０１５−２２２６２４号公報
【特許文献２】特開２０１４−０７５３７１号公報
【特許文献３】特開２０１３−１６５０６７号公報
【発明の概要】
【発明が解決しようとする課題】
【０００４】
複数の組電池を接続する際、組電池の主回路端子同士を接続することに加え通信端子同士
を接続することが必要となる。しかし、その接続する順番によっては組電池に備わる基板
に予定しない大電流が流れて基板が破損することがある。そこで、本発明が解決しようと
する課題は複数の組電池を組み立てる際に、基板などの破損を防ぐことのできる組電池を
提供することである。
【課題を解決するための手段】
【０００５】
上記の課題を解決するために、本実施形態の組電池は、二次電池と、前記二次電池の充
放電電流を取り出すための主回路端子と、他の組電池と通信線を介して通信を行うための
通信コネクタと、を有し、前記主回路端子が主回路線を介して前記他の組電池と接続され
ない状態では、前記通信コネクタと前記通信線と接続不可能であり、前記主回路端子が前
記主回路線を介して前記他の組電池と接続された状態で、前記通信コネクタと前記通信線
と接続可能となっている。
【図面の簡単な説明】
【０００６】
【図１】実施形態を説明するための回路図。
【図２】実施形態を説明するための回路図。
【図３】実施形態に係る組電池の模式図。
【図４】実施形態に係る主回路端子と通信コネクタの模式図。
【図５】実施形態に係る主回路端子と通信コネクタの模式図。
【図６】実施形態に係る主回路端子と通信コネクタの模式図。
【図７】実施形態に係る主回路端子と通信コネクタの模式図。
【図８】第一の変形例に係る主回路端子と通信コネクタの模式図。
【図９】第一の変形例に係る主回路端子と通信コネクタの模式図。
【図１０】第二の変形例に係る主回路端子と通信コネクタの模式図。
【図１１】第二の変形例に係る主回路端子と通信コネクタの模式図。
【図１２】第二の変形例に係る主回路端子と通信コネクタの模式図。
【図１３】第三の変形例に係る主回路端子と通信コネクタの模式図。
【図１４】第三の変形例に係る主回路端子と通信コネクタの模式図。
【発明を実施するための形態】
【０００７】
以下、実施形態を図面に基づき説明する。
【０００８】
図１は、実施形態を説明するための回路図である。
【０００９】
図１では、二つの組電池１０を接続した回路図を示している。組電池１０は二次電池１
１とその二次電池１１に電気的に接続された制御回路１２、二次電池１１と制御回路１２
との間に設けられたヒューズ１３、二次電池１１の充放電電流を取り出すための２つの主
回路端子１４、他の組電池と通信線４０を介して通信を行うための通信コネクタ１５を有
する。
【００１０】
主回路端子１４の一方は、他の組電池１０の主回路端子１４と主回路線３０を介して電
気的に接続されている。他方の主回路端子１４は、外部の負荷６０と電気的に接続されて
いる。他の組電池１０も同様に、一方の主回路端子１４が負荷６０と電気的に接続されて
いるため、これら二つの組電池１０を図１のように接続することで、組電池１０の充放電
電流が負荷６０に流れることになる。
【００１１】
また、通信コネクタ１５は他の組電池１０の通信コネクタ１５と通信線４０を介して接
続されており、他の組電池１０と通信を行うことができるようになっている。
【００１２】
図１に示す二つの組電池１０を接続する場合、それぞれの組電池１０に備わる主回路端
子１４同士を主回路線３０を介して接続し、その後にそれぞれの組電池１０に備わる通信
コネクタ１５同士を接続している。そのため、図１の矢印に示すように、二次電池１１か
ら取り出される電流は主回路線３０を経由して負荷６０に流れることとなる。そのため、
二次電池１１と制御回路１２との間に設けられたヒューズ１３の役割も機能して、制御回
路１２に二次電池１１から供給される大きな電流が流れることがない。
【００１３】
図２は、図１と同じく二つの組電池１０を接続した回路図を示している。しかしながら
図１の場合と異なり、組電池１０に備わる主回路端子１４同士を主回路線３０によって接
続する前に、それぞれの組電池１０に備わる通信コネクタ１５同士を通信線４０を介して
接続している。
【００１４】
このように、主回路線３０を接続せずに、通信線４０を接続した状態で、強制的に負荷
に電流を流そうとした場合、二次電池１１から取り出される電流が制御回路１２や通信線
４０を流れることとなる（図２の矢印参照）。制御回路１２は大きな電流に耐えられる機
能を有していないため、この電流によって制御回路１２が破損してしまう。若しくは、二
次電池１１から取り出される電流によってヒューズ１３が切れ、制御回路１２が二次電池
１１を制御できなくなることがある。
【００１５】
よって、組電池１０同士を接続する際に制御回路１２やヒューズ１３などの破損を防ぐ
ためには、主回路端子１４同士を接続することと、通信コネクタ１５同士を接続すること
の順番が重要となり、それぞれの組電池１０に備わる主回路端子１４同士を主回路線３０
によって接続してから、それぞれの組電池１０に備わる通信コネクタ１５同士を接続する
ことが求められる。
【００１６】
図３には実施形態に係る組電池１０の模式図である。図３の組電池１０には、プラスの
主回路端子とマイナス主回路端子のそれぞれにあたる二つの主回路端子１４と二つの通信
コネクタ１５を図示している。図３に示すように、主回路端子１４と通信コネクタ１５は
近接して設けられている。以下、主回路端子１４と通信コネクタ１５の構造について詳し
く説明する。
【００１７】
図４は実施形態に係る主回路端子１４と通信コネクタ１５の上面図及び側面図を模式的
に表したもので、図４−１がその上面図、図４−２が側面図である。
【００１８】
図４−１に示す通り主回路端子１４はその上面に主回路接続面１６を有し、その主回路接
続面１６にはねじ穴１７が設けられている。図４−２に示すように、主回路端子１４は、
主回路接続面１６の下部にばね１９を備えており、主回路端子１４は弾性的に高さを変え
られるように構成されている。主回路端子１４の高さが変わる機構などは、後に図５など
を用いて説明する。
【００１９】
一方、通信コネクタ１５は、その上面に通信接続面２０を有し、その通信接続面２０には
通信線４０を接続するためのコネクタピン２１が設けられている。本実施形態において、
主回路端子１４に備わる主回路接続面１６と通信コネクタ１５に備わる通信接続面２０は
同一の方向を向いている。
【００２０】
本実施形態に係る組電池１０には、その通信接続面２０を覆うようにカバー２２が備えら
れており、図４に示す状態においてはカバー２２が通信接続面２０を覆われているため、
通信接続面２０に設けられたコネクタピン２１の少なくとも一部はカバー２２に覆われて
いる。
【００２１】
図５はカバー２２を移動させた際の模式図を示している。図５−１はカバー２２を移動さ
せた際の上面図であり、図５−２はカバー２２を移動させた際の側面図である。
【００２２】
図５に示す通り、カバー２２は主回路端子１４側に対してのみ動くことができ、その他の
向きには動くことができない。また、そのカバー２２の高さは主回路端子１４の主回路接
続面１６よりも低いため、カバー２２が主回路端子１４側に動いたとしてもその主回路端
子１４と干渉することになる。主回路端子１４と通信コネクタ１５との距離は、カバー２
２の長さよりも短く設計されているため、カバー２２が主回路端子１４側に最大限移動し
たとしても、通信コネクタ１５に設けられたコネクタピン２１がすべて露出することなく
、一部がカバー２２によって覆われることになる。
【００２３】
通信線４０は通信コネクタ１５に備わるコネクタピン２１の全てに対して接続する必要が
あるため、図４及び図５に示したような状態では通信線４０を通信コネクタ１５に接続す
ることができない。
【００２４】
続いて図６を用い、主回路端子１４に主回路線３０が接続された状態を説明する。
【００２５】
図６−１は主回路端子１４に主回路線３０を接続された状態を示す上面図であり、図６−
２は主回路端子１４に主回路線３０を接続された状態を示す側面図である。
【００２６】
図６に示す通り、主回路線３０はねじ１８と接続可能であり、ねじ１８が主回路接続面
１６に備わるねじ穴１８に締結されることで、主回路線３０が主回路端子１４に接続され
る。この際、ねじを主回路端子１４に締結するに伴い主回路端子１４に備わるばね１９が
収縮し、主回路接続面１６の高さが低くなる。その結果、主回路接続面１６の高さがカバ
ー２２の高さよりも低くなる。
【００２７】
図７は、ねじ１８を主回路端子１４に締結して主回路線３０を主回路端子１４に接続した
状態で、カバー２２を移動させた際の模式図を示している。図７−１はカバー２２を移動
させた際の上面図であり、図７−２はカバー２２を移動させた際の側面図である。
【００２８】
図６を用いて説明したように、主回路接続面１６の高さがカバー２２の高さよりも低く
なっているため、カバー２２は主回路端子１４に干渉することなく主回路端子１４側に移
動して、最終的には通信接続面２０に設けられたコネクタピン２１の全てがカバー２２に
覆われることなく露出する。
【００２９】
なお、カバー２２はその主回路端子１４側に切り欠き部２３を有し、カバー２２が主回
路端子１４側に移動した際にも、主回路端子に締結されたねじ１８などと干渉することが
ない。
【００３０】
以上図４〜図７を用いて説明したように、主回路端子１４に主回路線３０を接続してい
ない状態では、コネクタピン２１を覆うカバー２２が主回路端子１４に干渉してしまい、
コネクタピン２１の全てがカバー２２から露出することがない。そのため、通信線４０を
通信コネクタ１５に接続することができない。
【００３１】
一方、ねじ１８を用いて主回路端子１４に主回路線３０を接続することで、主回路接続
面１６の高さがカバー２２の高さよりも低くなり、通信コネクタ１５のコネクタピン２１
を覆うカバー２２が主回路端子１４に干渉することなく移動することができる。そのため
、コネクタピン２１がカバー２２に覆われることなく露出し、通信線４０を通信コネクタ
１５に接続可能となる。つまり、主回路線３０を接続する前に通信線４０を接続すること
はできないが、主回路線３０を接続してから通信線４０を接続できるような構造となって
いる。
【００３２】
このような組電池１０は、主回路線３０を接続する前に通信線４０を接続することで、
二次電池１１から取り出される電流が制御回路１２や通信線４０を流れて、制御回路１２
が破壊されることや、ヒューズ１３が切れ、制御回路１２が二次電池１１を制御できない
ような事態を回避することができる。つまり、組電池１０同士を接続する際の接続ミスを
低減することができ、組電池１０の故障を避けることができる。
【００３３】
次に、第一の変形例における組電池３２ついて図８及び図９を用いて説明する。
【００３４】
本変形例は基本的に実施形態と同一の構成であるが、一部異なる部分がある。ここでは
実施形態と同一の説明は適宜省略する。
【００３５】
図８は本変形例に係る主回路端子２３と通信コネクタ２７の模式図である。
【００３６】
図８−１に示す通り主回路端子２３はその上面に主回路接続面２４を有し、その主回路接
続面２４にはねじ穴２５が設けられている。図８−２に示すように、主回路端子２３は、
主回路接続面２４の下部にばね２６を備えており、主回路端子２３は弾性的に高さを変え
られるように構成されている。さらに、主回路端子２３にはカバー３１接続されており、
カバー３１は後に説明する通信コネクタ２７に備わるコネクタピン２９の一部を覆うよう
に形成されている。主回路端子２３の高さが変わる機構などは後に図９を用いて説明する
が、このカバー３１も主回路端子の高さが変わることに伴って移動する。
【００３７】
一方、通信コネクタ２７は、その側面に通信接続面２８を有し、その通信接続面２８には
通信線４０を接続するためのコネクタピン２９設けられている。本変形例において、主回
路端子２３に備わる主回路接続面２４と通信コネクタ２７に備わる通信接続面２８と垂直
に交わるように備えられている。
【００３８】
本変形例に係る組電池３２には、その通信接続面２８を覆うようにカバー３１が備えられ
ており、通信接続面２８に設けられたコネクタピン２９の少なくとも一部がカバー３１に
覆われ、コネクタピン２９の全てが露出した状態になっていない。
【００３９】
通信線４０は通信コネクタ２７に備わるコネクタピン２９の全てに対して接続する必要が
あるため、図８に示したような状態では通信線４０を通信コネクタ２７に接続することが
できない。
【００４０】
続いて図９を用い、主回路端子２３に主回路線３０が接続された状態を説明する。
【００４１】
図９−１は主回路端子２３に主回路線３０が接続された状態を示す上面図であり、図９−
２は主回路端子２３に主回路線３０が接続された状態を示す側面図である。
【００４２】
図９に示す通り、主回路線３０はねじ３３と接続可能であり、ねじ３３が主回路接続面
２４に備わるねじ穴２５に締結されることで、主回路線３０が主回路端子２３に接続され
る。ねじ３３が主回路端子２３に締結されるのに伴い、主回路端子２３に備わるばね２６
が収縮して主回路接続面２４の高さが低くなる。この時、主回路接続面２４とばね２６と
の間にはカバー３１も下方向に移動する。ここで、下方向とは組電池３２の筐体側のこと
であり、組電池３２の筐体にはカバー３１が下方向に移動した際にカバー３１を収容する
ためのスペースが備わる。
【００４３】
図９−２に示すように、カバー３１が下方向に移動することで、通信コネクタ２７に備
わるすべてのコネクタピン２９がカバー３１に覆われることなく露出する。よって、通信
線４０を通信コネクタ２７に接続することができる。
【００４４】
以上図８及び図９を用いて説明したように、主回路端子２３に主回路線３０を接続して
いない状態では、コネクタピン２９の少なくとも一部をカバー３１が覆っているため、通
信線４０を通信コネクタ２７に接続することができない。
【００４５】
一方、ねじ３３を用いて主回路端子２３に主回路線３０を接続することで、主回路接続
面２４の高さが低くなり、それに伴いカバー３１も下方向に移動する。これにより全ての
コネクタピン２９がカバー３１に覆われることなく露出し、通信線４０を通信コネクタ２
７に接続可能となる。
【００４６】
つまり、主回路線３０を接続する前に通信線４０を接続することはできないが、主回路線
３０を接続してから通信線４０を接続できるような構造となっている。
【００４７】
このような組電池３２は、主回路線３０を接続する前に通信線４０を接続することで、
二次電池１１から取り出される電流が制御回路１２や通信線４０を流れて、制御回路１２
が破壊されることや、ヒューズ１３が切れ、制御回路１２が二次電池１１を制御できない
ような事態を回避することができる。つまり、組電池３２同士を接続する際の接続ミスを
低減することができ、組電池３２の故障を避けることができる。
【００４８】
次に、第二の変形例における組電池３４ついて図１０〜図１２を用いて説明する。
【００４９】
本変形例は基本的に実施形態と同一の構成であるが、一部異なる部分がある。ここでは
実施形態と同一の説明は適宜省略する。
【００５０】
図１０は本変形例に係る主回路端子３５と通信コネクタ３８の模式図であり、図１０−
１はその上面図、図１０−２はその側面図を示している。
【００５１】
図１０−１に示す通り、主回路端子３５はその上面に主回路接続面３６を有し、その主回
路接続面３６にはねじ穴３７が設けられている。
【００５２】
一方、図１０−２にも示す通り、通信コネクタ３８はその側面に通信接続面３９を有し、
その通信接続面３９には通信線４０を接続するためのコネクタピン４３が設けられている
。本変形例において、主回路端子３５に備わる主回路接続面３６と通信コネクタ３８に備
わる通信接続面３９と垂直に交わるように備えられている。
【００５３】
本変形例に係る組電池３２には、その通信接続面３９を覆うようにカバー４１が備えられ
ている。図１１を用いてそのカバー４１について詳しく説明する。
【００５４】
図１１−１はカバー４１を示した上面図（主回路端子３５や通信コネクタ３８は省略）、
図１１−２はカバー４１と主回路端子３５を示した第一の側面図、図１１−３はカバー４
１を示した鳥観図、図１１−４はカバー４１と主回路端子３５を示した第二の側面図であ
る。
【００５５】
図１１−４などに示した通り、カバー４１は主回路端子３５の下部にも形成されており、
通信接続面３９のコネクタピン４３を覆う部分と一体となっている。ここで、主回路端子
３５の下部に形成されている部分をカバー４１−１とし、コネクタピン４３を覆う部分を
カバー４１−２とする。
【００５６】
カバー４１−１は主回路端子３５の下部に形成され、主回路接続面３６と略平行な平面を
有する。カバー４１−２はカバー４１−１と略直交するような平面であり、図１０のよう
に、ねじ穴３７にねじ４２を締結していない状態において、コネクタピン４３を覆うよう
に形成されている。
【００５７】
このカバー４１は、その下部にばね（図示せず）などを設けることでよって主回路端子３
５側の上向きの力を受けているため、図１０や図１１のようにねじ穴３７にねじ４２を締
結していない状態においてカバー４１−１は主回路端子３５の下部に接している。
【００５８】
よって、図１０や図１１のようにねじ穴３７にねじ４２を締結していない状態においては
、通信接続面３９に設けられたコネクタピン４３の少なくとも一部がカバー４１に覆われ
、コネクタピン４３の全てが露出した状態になっていない。
【００５９】
通信線４０は通信コネクタ３８に備わるコネクタピン４３の全てに対して接続する必要が
あるため、図１０示したような状態では通信線４０を通信コネクタ３８に接続することが
できない。
【００６０】
続いて図１２を用い、主回路端子３５に主回路線３０が接続された状態を説明する。
【００６１】
図１２−１は主回路端子３５に主回路線３０が接続された状態を示す上面図であり、図１
２−２は主回路端子３５に主回路線３０が接続された状態を示す第一の側面図であり、図
１２−３は主回路端子３５に主回路線３０が接続された状態を示す第二の側面図である。
【００６２】
図１２に示す通り、主回路線３０はねじ４２と接続可能であり、ねじ４２が主回路接続
面３６に備わるねじ穴３７に締結されることで、主回路線３０が主回路端子３５に接続さ
れる。この際、ねじ４２が主回路端子３５の下部に備わるカバー４１−１に接触して、カ
バー４１が下向きに移動する。
【００６３】
図１２−２などに示すように、カバー４１が下方向に移動することで、通信コネクタ３
８に備わるすべてのコネクタピン４３はカバー４１に覆われることなく露出する。よって
、通信線４０を通信コネクタ３８に接続することができるようになる。
【００６４】
以上図１０〜図１２を用いて説明したように、主回路端子３５に主回路線３０を接続し
ていない状態では、コネクタピン４３の少なくとも一部をカバー４１が覆っているため、
通信線４０を通信コネクタ３８に接続することができない。
【００６５】
一方、ねじ４２用いて主回路端子３５に主回路線３０を接続することでカバー４１も下
方向に移動する。これにより全てのコネクタピン４３がカバー４１に覆われることなく露
出し、通信線４０を通信コネクタ３８に接続可能となる。
【００６６】
つまり、主回路線３０を接続する前に通信線４０を接続することはできないが、主回路線
３０を接続してから通信線４０を接続できるような構造となっている。
【００６７】
このような組電池３４は、主回路線３０を接続する前に通信線４０を接続することで、
二次電池１１から取り出される電流が制御回路１２や通信線４０を流れて、制御回路１２
が破壊されることや、ヒューズ１３が切れ、制御回路１２が二次電池１１を制御できない
ような事態を回避することができる。つまり、組電池３４同士を接続する際の接続ミスを
低減することができ、組電池３４の故障を避けることができる。
【００６８】
次に、第三の変形例における組電池４４ついて図１３及び図１４を用いて説明する。
【００６９】
本変形例は基本的に実施形態と同一の構成であるが、一部異なる部分がある。ここでは
実施形態と同一の説明は適宜省略する。
【００７０】
図１３は本変形例に係る主回路端子４５と通信コネクタ４８の模式図であり、図１３−
１はその上面図、図１３−２はその側面図を示している。
【００７１】
図１３−１に示す通り主回路端子４５はその上面に主回路接続面４６を有し、その主回路
接続面４６にはねじ穴４７が設けられている。
【００７２】
一方、図１３−２にも示す通り、通信コネクタ４８はその側面に通信接続面４９を有し、
その通信接続面４９には通信線４０を接続するためのコネクタピン５０が設けられている
。本変形例において、主回路端子４５に備わる主回路接続面４６と通信コネクタ４８に備
わる通信接続面４９と垂直に交わるように備えられている。
【００７３】
本変形例に係る組電池４４には、その通信接続面４９を覆うようにカバー５１が備えられ
ている。図１３に示した通り、カバー５１は主回路端子４５の側面部にも形成されており
、通信接続面４９のコネクタピン５０を覆う部分と一体となっている。ここで、主回路端
子４５の側面部に形成されている部分をカバー５１−１とし、コネクタピン５０を覆う部
分をカバー５１−２とする。カバー５１−１はカバー５１−２から突出した部分であり、
その高さは主回路接続面４６よりも高い。
【００７４】
このカバー５１は、その下部にばね（図示せず）などを設けることでよって上向きの力を
受けているため、図１３のようにねじ穴４７にねじ５２を締結していない状態において、
カバー５１はコネクタピン５０を覆っている。
【００７５】
よって図１３のように、ねじ穴４７にねじ５２を締結していない状態においては、通信接
続面４９に設けられたコネクタピン５０の少なくとも一部がカバー５１に覆われ、コネク
タピン５０の全てが露出した状態になっていない。
【００７６】
通信線４０は通信コネクタ４８に備わるコネクタピン５０の全てに対して接続する必要が
あるため、図１３に示したような状態では通信線４０を通信コネクタ４８に接続すること
ができない。
【００７７】
続いて図１４を用い、主回路端子４５に主回路線３０を接続された状態を説明する。
【００７８】
図１４−１は主回路端子４５に主回路線３０を接続された状態を示す上面図であり、図１
４−２は主回路端子４５に主回路線３０を接続された状態を示す側面図である。
【００７９】
図１４に示す通り、主回路線３０の先端部には、中心部にねじ５２を挿通することので
きる孔が形成された丸形端子５３が形成されている。ねじ５２を主回路接続面４６に備わ
るねじ穴４７に締結する際には、この丸形端子５３を介して締結する。主回路線３０は丸
形端子５３と電気的に接続されているため、丸形端子５３が主回路接続面４６に接触する
ことで、主回路線３０と主回路端子４５が電気的に接続される。
【００８０】
この丸形端子５３は、その円の直径がカバー５１−１に接触する程度に形成されている
ため、丸形端子５３をねじ５２を用いて主回路接続面４６に締結する際に、その丸形端子
５３がカバー５１−１に接触し、カバー５１−１に対して下向きの力が加わり、カバー５
１全体が下向きに移動する。
【００８１】
図１４−２などに示すように、カバー５１が下方向に移動することで、通信コネクタ４
８に備わるすべてのコネクタピン５０はカバー５１に覆われることなく露出する。よって
、通信線４０を通信コネクタ４８に接続することができる。
【００８２】
以上図１３及び図１４を用いて説明したように、主回路端子４５に主回路線３０を接続
していない状態では、通信コネクタ４８のコネクタピン５０の少なくとも一部をカバー５
１が覆っているため、通信線４０を通信コネクタ４８に接続することができない。
【００８３】
一方、ねじ５２用いて主回路端子４５に主回路線３０を接続することでカバー５１も下
方向に移動する。これにより全てのコネクタピン５０がカバー５１に覆われることなく露
出し、通信線４０を通信コネクタ４８に接続可能となる。
【００８４】
つまり、主回路線３０を接続する前に通信線４０を接続することはできないが、主回路線
３０を接続してから通信線４０を接続できるような構造となっている。
【００８５】
このような組電池４４は、主回路線３０を接続する前に通信線４０を接続することで、
二次電池１１から取り出される電流が制御回路１２や通信線４０を流れて、制御回路１２
が破壊されることや、ヒューズ１３が切れ、制御回路１２が二次電池１１を制御できない
ような事態を回避することができる。つまり、組電池４４同士を接続する際の接続ミスを
低減することができ、組電池４４の故障を避けることができる。
【００８６】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００８７】
１０…組電池
１１…二次電池
１２…制御回路
１３…ヒューズ
１４…主回路端子
１５…通信コネクタ
１６…主回路接続面
２０…通信接続面
２１…コネクタピン
２２…カバー
２３…主回路端子
２４…主回路接続面
２７…通信コネクタ
２８…通信接続面
２９…コネクタピン
３０…主回路線
３１…カバー
３５…主回路端子
３６…主回路接続面
３８…通信コネクタ
３９…通信接続面
４０…通信線
４１…カバー
４３…コネクタピン
４５…主回路端子
４６…主回路接続面
４８…通信コネクタ
４９…通信接続面
５０…コネクタピン
５１…カバー
５３…丸形端子
６０…負荷
【図１】
2019164885.tif 000003
【図２】
2019164885.tif 000004
【図３】
2019164885.tif 000005
【図４】
2019164885.tif 000006
【図５】
2019164885.tif 000007
【図６】
2019164885.tif 000008
【図７】
2019164885.tif 000009
【図８】
2019164885.tif 000010
【図９】
2019164885.tif 000011
【図１０】
2019164885.tif 000012
【図１１】
2019164885.tif 000013
【図１２】
2019164885.tif 000014
【図１３】
2019164885.tif 000015
【図１４】
2019164885.tif 000016